(57)【要約】【課題】ダーティゾーン毎の排気ファンをなくして部品コスト、設置コストおよび駆動コストを低減する。排気される調和空気の余力を回収して空調効率をアップする。【解決手段】ダーティゾーン用熱交換換気ユニット７とクリーンゾーン用熱交換換気ユニット８を設ける。ダーティゾーン用熱交換換気ユニット７の熱交換器７−１は顕熱型、クリーンゾーン用熱交換換気ユニット８の熱交換器８−１は全熱型とする。熱交換器７−１によって、ダーティゾーン２からの還気ＲＡ１（ＲＡａ＋ＲＡｂ）と外気ＯＡ１との熱交換を行わせ、熱交換器８−１によって、クリーンゾーン１からの還気ＲＡ２と外気ＯＡ２との熱交換を行わせ、熱交換された還気ＲＡ１およびＲＡ２を排気し、熱交換された外気ＯＡ１（送気ＳＡ１）およびＯＡ２（ＳＡ２）を空調機９へ送る。【選択図】        図２
2004340434.tif 000002
【特許請求の範囲】
【請求項１】
建物内部で互いに連通する複数のエリアの強制換気を行う建物換気システムにおいて、
第１のエリアからの還気と外気との熱交換を行う第１の熱交換器と、この第１の熱交換器によって熱交換された前記第１のエリアからの還気を建物の外部へ排気する排気ファンとを備えた第１の熱交換換気ユニットと、
前記第１のエリアより空気質の劣る第２のエリアからの還気と外気との熱交換を行う第２の熱交換器と、この第２の熱交換器によって熱交換された前記第２のエリアからの還気を建物の外部へ排気する排気ファンとを備えた第２の熱交換換気ユニットと、
前記第１の熱交換換気ユニットの前記第１の熱交換器によって熱交換された外気と、前記第２の熱交換換気ユニットの前記第２の熱交換器によって熱交換された外気とを取り込んで調和空気を生成し、この生成した調和空気を前記第１のエリアに供給する空調機と
を備えたことを特徴とする建物換気システム。
【請求項２】
請求項１に記載された建物換気システムにおいて、
前記第１の熱交換器と前記第２の熱交換器は、顕熱型の熱交換器であることを特徴とする建物換気システム。
【請求項３】
請求項１に記載された建物換気システムにおいて、
前記第１の熱交換器は、全熱型の熱交換器であり、前記第２の熱交換器は、顕熱型の熱交換器であることを特徴とする建物換気システム。
【請求項４】
請求項１〜３の何れか１項に記載された建物換気システムにおいて、
前記第１のエリアからの還気を清浄する空気清浄機をさらに備え、
前記第１の熱交換換気ユニットは、前記空気清浄機によって清浄された前記第１のエリアからの還気の一部を前記第１の熱交換器を通じて排気し、
前記空調機は、前記第１、第２の熱交換換気ユニットにおいて熱交換された外気と前記空気清浄機によって清浄された前記還気の残りとから前記第１のエリアに供給する調和空気を生成する
ことを特徴とする建物換気システム。
【請求項５】
請求項１〜４の何れか１項に記載された建物換気システムにおいて、
前記第２のエリアは、前記建物内部に複数存在し、
前記第２の熱交換換気ユニットは、複数の前記第２のエリアから合流された還気と外気との熱交換を行い、熱交換された前記還気の排気を行う
ことを特徴とする建物換気システム。
【発明の詳細な説明】
【０００１】
【発明の属する技術分野】
この発明は、建物換気システムに関し、特に空気質の異なる複数のエリアを含みかつ気密性が図られた建物内部の強制換気を行う建物換気システムに関するものである。
【０００２】
【従来の技術】
最近の住宅などの建物においては、空調の効率化および省エネルギーを目的として建物の高気密化が図られている。しかしながら、高気密化によって自然換気量が減ってしまい、建物内の化学物質濃度が上昇し、いわゆるシックハウス問題が生じてきた。最近、これに対する対策として建築基準法が改正され、今後建築される建物に対して換気量確保のための機械換気システムの設置が義務付けられた。なお、機械換気とは、送風機などの機械力を利用して室内の空気を強制的に入れ換える換気（強制換気）のことをいう。
【０００３】
一般に、機械換気システムは第１種、第２種、第３種の３種類に分類される。第１種では給気・排気ともに機械換気によって行う。第２種では、給気を機械換気、排気を自然換気によって行う。第３種では、給気を自然換気、排気を機械換気によって行う。
【０００４】
なお、一般住宅などでは、第１種と第３種の機械換気システムが採用される。建物が２階建て、３階建てと大型化するにつれて機械換気システムも複数必要になってくる。一般住宅などでは、建物内の空間（エリア）を室内の空気質や要求される室内環境レベルに応じて複数のゾーンに分類することが行われており、例えば、居間などの空気質の悪化が少ないエリアを「クリーンゾーン」と呼び、これに対してトイレ・浴室・台所といった空気質が悪化し易いエリアを「ダーティーゾーン」と呼んでいる。一般に、この「ダーティーゾーン」には、確実に換気を行うように、排気口と排気ファンを設けている。
【０００５】
一般住宅などへの機械換気システムの設置例として例えば下記の特許文献１〜３に記載されたものがある。
【０００６】
特許文献１（従来技術１）では、建物内のダーティゾーン毎に排気口と排気ファンを設けるとともに、建物内のダーティゾーン以外の室（クリーンゾーン）の壁面に給気口を設けている。この場合、給気は自然換気、排気は機械換気で行われるので、第３種の機械換気システムが採用されているといえる。
【０００７】
特許文献２（従来技術２）では、建物内のダーティゾーン毎に排気口と排気ファンを設けるとともに、建物内のダーティゾーン以外の室（クリーンゾーン）の壁面に給気口と給気ファンを設けている。この場合、給気，排気ともに機械換気で行われるので、第１種の機械換気システムが採用されているといえる。
【０００８】
特許文献３（従来技術３）では、建物内のダーティゾーンに排気口と排気ファンを設けるとともに、建物内のダーティゾーン以外の室（クリーンゾーン）の壁面に給気口と給気ファンおよび排気口と排気ファンを設けている。この場合、給気，排気ともに機械換気で行われるので、第１種の機械換気システムが採用されているといえる。
【０００９】
【特許文献１】
特開平７−１９０４２６号公報（第２頁、図３、図４）
【特許文献２】
特開２０００−３５６３８４号公報（第３頁、図１〜図３）
【特許文献３】
特開２００２−３２７９４４号公報（第３頁、図１）
【００１０】
【発明が解決しようとする課題】
しかしながら、上述した従来技術１〜３では、排気口からは室内の空気をそのまま排気し、給気口からは外気をそのまま室内に給気しているので、例えば外気を空調機で調和して室内に給気するようなシステムとした場合、空調負荷が増大し、空調効率が悪くなる。
【００１１】
本発明はこのような課題を解決するためになされたもので、その目的とするところは、排気される調和空気の余力を回収して空調効率をアップすることが可能な建物換気システムを提供することにある。
【００１２】
【課題を解決するための手段】
このような目的を達成するために、第１発明（請求項１に係る発明）は、建物内部で互いに連通する複数のエリアの強制換気を行う建物換気システムにおいて、第１のエリアからの還気と外気との熱交換を行う第１の熱交換器と、この第１の熱交換器によって熱交換された第１のエリアからの還気を建物の外部へ排気する排気ファンとを備えた第１の熱交換換気ユニットと、第１のエリアより空気質の劣る第２のエリアからの還気と外気との熱交換を行う第２の熱交換器と、この第２の熱交換器によって熱交換された第２のエリアからの還気を建物の外部へ排気する排気ファンとを備えた第２の熱交換換気ユニットと、第１の熱交換換気ユニットの第１の熱交換器によって熱交換された外気と、第２の熱交換換気ユニットの第２の熱交換器によって熱交換された外気とを取り込んで調和空気を生成し、この生成した調和空気を第１のエリアに供給する空調機とを設けたものである。
【００１３】
この発明では、例えば、第１のエリアと第２のエリアとがいわゆる「クリーンゾーン」と「ダーティゾーン」とにそれぞれ属するものとすれば、第１，第２のエリアからの還気は、それぞれ第１、第２の熱交換換気ユニットにおいて外気と熱交換された後に排気される一方、熱交換された外気は、空調機において調和空気となり、この調和空気が第１のエリア、すなわち「クリーンゾーン」に供給される。「クリーンゾーン」に供給された調和空気は、その一部が第１のエリアからの還気として第１の熱交換換気ユニットの熱交換器（第１の熱交換器）を経て排気され、残りは、クリーンゾーンから連通するダーティゾーンへ至り、第２のエリアからの還気として第２の熱交換換気ユニットの熱交換器（第２の熱交換器）を経て排気される。
このように第１、第２の熱交換器において、それぞれ第１，第２のエリアからの還気すなわち建物内の調和空気と外気との熱交換を行うことにより、排気される調和空気の余力を回収して空調効率をアップすることができる。
【００１４】
第２発明（請求項２に係る発明）は、第１、第２の熱交換器を顕熱型としたものである。この発明において、熱交換器は顕熱のみの熱交換を行うので、原理的に還気から調和空気となる外気（空調機への送気）への水蒸気のリークがない。したがって、還気に含まれる臭い等が水蒸気とともに空調機への送気に戻されるということがない。
【００１５】
なお、ダーティゾーンに比べてクリーンゾーンは空気質がよく、クリーンゾーンからの還気にそれほど問題となる臭いは含まれない。これに対して、ダーティゾーンは空気質が悪く、ダーティゾーンからの還気には問題となる臭いが含まれている場合が多い。そこで、第３発明（請求項３に係る発明）は、いわゆる「クリーンゾーン」用の第１の熱交換換気ユニットの熱交換器を全熱型とし、「ダーティゾーン」用の第２の熱交換換気ユニットの熱交換器を顕熱型としたものである。全熱型の熱交換器は顕熱と潜熱の両方を熱交換する。この場合、還気から送気への水蒸気のリークがあるが、クリーンゾーンからの還気にはそれほど問題となる臭いは含まれていないので、還気から送気への多少の水蒸気のリークは問題とならない。逆に、全熱型の熱交換器とすることによって、熱交換の効率を高めることができるし、冬季などにおいては、還気から空調機への送気へ水蒸気を渡すことによって、換気に伴う室内乾燥を緩和することができるようになる。
【００１６】
第４発明（請求項４に係る発明）は、第１〜第３発明の何れかにおいて、第１のエリアからの還気を清浄する空気清浄機をさらに備え、第１の熱交換換気ユニットは、空気清浄機によって清浄された還気の一部を第１の熱交換器を通じて排気し、空調機は、第１、第２の熱交換換気ユニットにおいて熱交換された外気と空気清浄機によって清浄された還気の残りとから第１のエリアに供給する調和空気を生成するものである。
この発明によれば、空気清浄機によって、例えば「クリーンゾーン」に属する第１のエリアからの還気が清浄される。この清浄された還気は、その一部がクリーンゾーン用熱交換換気ユニットへ送られ、残りが空調機へ送られる。これにより、クリーンゾーン用熱交換換気ユニットへ送られる還気や空調機へ送られる送気から臭気や粉塵などが除去され、クリーンゾーン内の快適性が向上する。特に、第３発明では、「クリーンゾーン」用の第１の熱交換換気ユニットの熱交換器を全熱型とするので、クリーンゾーン用熱交換換気ユニットへ送られる還気から臭気や粉塵などを除去することによる効果は大きい。
【００１７】
また、「ダーティゾーン」に属する第２のエリアは１つでもよいが、通常は複数存在する。この場合、本発明（上述した第１〜第４発明）においては、複数の第２のエリアからの還気を合流し、第２の熱交換換気ユニットへ与え、熱交換と排気を行うようにする（第５発明（請求項５に係る発明））。
このようなシステム構成とすれば、ダーティーゾーン毎に排気ファンを設ける必要がなく、複数のダーティゾーンに対して１つのダーティゾーン用熱交換換気ユニットだけを設ければよいので、部品コスト、設置コストおよび駆動コストを低減することが可能となり、給気・排気ともに機械換気によって行う第１種の機械換気システムを低コストで提供することができるようになる。
【００１８】
【発明の実施の形態】
以下、本発明を図面に基づいて詳細に説明する。
〔実施の形態１〕
図１はこの発明の一実施の形態を示す排気セントラル換気方式による建物換気システムのシステム構成図である。同図において、複数のエリアを有する建物１００は気密性が図られており、その建物内部において、「クリーンゾーン」に属する第１のエリア（以下、単に「クリーンゾーン」という）１と、「クリーンゾーン」より空気質の劣る「ダーティゾーン」に属する複数の第２のエリア（以下、単に「ダーティゾーン」という）２−１および２−２とは互いに連通している。
【００１９】
建物１００の外部には外気取込口３，４および排気口５，６が設けられている。この建物１００の建物換気システムは、ダーティゾーン用熱交換換気ユニット７、クリーンゾーン用熱交換換気ユニット８、空調機９、クリーンゾーン１からの還気ＲＡｃを清浄する空気清浄機１０、ダーティゾーン２−１および２−２からの還気ＲＡａ，ＲＡｂを合流する換気チャンバ１１、逆止シャッタ１２から構成される。クリーンゾーン１には調和空気の吹出口１３が設けられている。ダーティゾーン２−２には窓１４が設けられている。
【００２０】
ここで、ダーティゾーン用熱交換換気ユニット７は、顕熱型の熱交換器７−１と、排気ファン７−２とを備え、第２の熱交換換気ユニットとして作用する。第１の熱交換換気ユニットとして作用するクリーンゾーン用熱交換換気ユニット８も、ダーティゾーン用熱交換換気ユニット７と同様に、顕熱型の熱交換器８−１と、排気ファン８−２とを備えている。
【００２１】
ダーティゾーン用熱交換換気ユニット７は、その入力ポートの一方がダクトＤ１を介して外気取込口３と接続されており、その入力ポートの他方がダクトＤ２を介して換気チャンバ１１の出力ポートと接続されている。また、ダーティゾーン用熱交換換気ユニット７は、その出力ポートの一方がダクトＤ３を介して排気口５と接続されており、その出力ポートの他方がダクトＤ４を介して空調機９の空気の取入口と接続されている。換気チャンバ１１は、その入力ポートの一方がダクトＤ５を介してダーティゾーン２−１に接続されており、その入力ポートの他方がダクトＤ６を介してダーティゾーン２−２に接続されている。
【００２２】
クリーンゾーン用熱交換換気ユニット８は、その入力ポートの一方がダクトＤ７を介して外気取込口４と接続されており、その入力ポートの他方がダクトＤ８を介して空気清浄機１０の出力ポートの一方と接続されている。また、クリーンゾーン用熱交換換気ユニット８は、その出力ポートの一方がダクトＤ９を介して排気口６と接続されており、その出力ポートの他方がダクトＤ１０を介して空調機９の空気の取入口と接続されている。
【００２３】
空気清浄機１０は、クリーンゾーン１からの還気ＲＡｃを清浄する装置であって、清浄した還気の出力経路として２つの経路を有している。一方の経路はダクトＤ８を介してクリーンゾーン用熱交換換気ユニット８へ至る経路であり、他方の経路はダクトＤ１１を介して空調機９へ至る経路である。ダクトＤ１１には空気清浄機１０への空気の逆流を防ぐために逆止シャッタ１２が設けられている。空調機９の調和空気の流出口と吹出口１３とはダクトＤ１２によって接続されている。
【００２４】
〔空気の流れ〕
外気取入口３から取り込まれた外気ＯＡ１はダクトＤ１を介してダーティゾーン用熱交換換気ユニット７へ送られる。また、ダーティゾーン２−１および２−２からの還気ＲＡａ，ＲＡｂは換気チャンバ１１によって合流され、ダーティゾーン２（２−１，２−２）からの還気ＲＡ１としてダーティゾーン用熱交換換気ユニット７へ送られる。
【００２５】
ダーティゾーン用熱交換換気ユニット７において、熱交換器７−１は、ダーティゾーン２からの還気ＲＡ１と外気ＯＡ１との熱交換を行う。熱交換されたダーティゾーン２からの還気ＲＡ１は、排気ファン７−２によってダクトＤ３へ送られ、排気口５から排気ＥＡ１として排気される。熱交換された外気ＯＡ１は、空調機９のファン９−１の吸引力によってダクトＤ４へ送られ、送気ＳＡ１として空調機９に取り込まれる。
【００２６】
外気取入口４から取り込まれた外気ＯＡ２はダクトＤ７を介してクリーンゾーン用熱交換換気ユニット８へ送られる。また、クリーンゾーン１からの還気ＲＡｃは空気清浄機１０によって清浄された後、その一部がダクトＤ８を介し、クリーンゾーン１からの還気ＲＡ２としてクリーンゾーン用熱交換換気ユニット８へ送られる。なお、空気清浄機１０によって清浄された残りの還気ＲＡ３は、ダクトＤ１１を介し、送気ＳＡ３として空調機９へ送られる。
【００２７】
クリーンゾーン用熱交換換気ユニット８において、熱交換器８−１は、クリーンゾーン１からの還気ＲＡ２と外気ＯＡ２との熱交換を行う。熱交換されたクリーンゾーン１からの還気ＲＡ２は、排気ファン８−２によってダクトＤ９へ送られ、排気口６から排気ＥＡ２として排気される。熱交換された外気ＯＡ２は、空調機９のファン９−１の吸引力によってダクトＤ１０へ送られ、送気ＳＡ２として空調機９に取り込まれる。
【００２８】
空調機９は、ダーティゾーン用熱交換換気ユニット７から送られてくる送気ＳＡ１（熱交換された外気ＯＡ１）と、クリーンゾーン用熱交換換気ユニット８から送られてくる送気ＳＡ２（熱交換された外気ＯＡ２）と、空気清浄機１０から送られてくる送気ＳＡ３（洗浄された還気ＲＡ３）とを取り込んで調和空気を生成し、この生成した調和空気をダクトＤ１２を介して、吹出口１３からクリーンゾーン１に供給する。
【００２９】
クリーンゾーン１に供給された調和空気は、室内の空気調和に貢献した後、その一部が図示しない還気取入口から空気清浄機１０に取り込まれ清浄される一方、後述するように、その残りが連通するダーティゾーン２−１，２−２に至る。空気清浄機１０によって清浄された室内の空気は、クリーンゾーン１からの還気ＲＡ２としてクリーンゾーン用熱交換換気ユニット８に戻される。クリーンゾーン用熱交換換気ユニット８の熱交換器８−１はクリーンゾーン１からの還気ＲＡ２と外気ＯＡ２との熱交換を行う。
この熱交換によって、クリーンゾーン１からの還気ＲＡ２に含まれる再利用可能な熱量が外気ＯＡ２（送気ＳＡ２）へ移され、空調機９へ送られる。
【００３０】
一方、クリーンゾーン１に供給された調和空気の残りは、クリーンゾーン１から連通するダーティゾーン２−１，２−２へ至り、ダーティゾーン用熱交換換気ユニット７にダーティゾーン２からの還気ＲＡ１として戻される。ダーティゾーン用熱交換換気ユニット７の熱交換器７−１はダーティゾーン２からの還気ＲＡ１と外気ＯＡ１との熱交換を行う。
この熱交換によって、ダーティゾーン２からの還気ＲＡ１に含まれる再利用可能な熱量が外気ＯＡ１（送気ＳＡ１）へ移され、空調機９へ送られる。
【００３１】
以上のように、クリーンゾーン用熱交換換気ユニット８およびダーティゾーン用熱交換換気ユニット７にそれぞれ熱交換器８−１および７−１を設け、クリーンゾーン１からの還気ＲＡ２およびダーティゾーン２からの還気ＲＡ１と空調機９に供給する外気ＯＡ２およびＯＡ１との間で熱交換を行うことにより、熱損失が低減され、空調効率がアップし、省エネルギーが図られる。
【００３２】
また、ダーティゾーン用熱交換換気ユニット７の熱交換器７−１は顕熱型であり、顕熱のみの熱交換を行うので、原理的に還気ＲＡ１から外気ＯＡ１（送気ＯＡ１）への水蒸気のリークがない。したがって、ダーティゾーン２からの還気ＲＡ１に含まれる臭い等が水蒸気とともに送気ＳＡ１に戻されるということがなく、クリーンゾーン１の空気質の悪化が防がれる。
【００３３】
また、クリーンゾーン用熱交換換気ユニット８の熱交換器８−１も同様に顕熱型とすることにより、原理的に還気ＲＡ２から外気ＯＡ２（送気ＯＡ２）への水蒸気のリークがない。したがって、クリーンゾーン１からの還気ＲＡ２に含まれる臭い等が水蒸気とともに送気ＳＡ２に戻されるということがない。
【００３４】
なお、この実施の形態においては、還気ＲＡ２は空気清浄機１０によって清浄されているので既に臭いなどが除去されているが、空気清浄機１０を設けないようなシステムでは、熱交換器８−１を顕熱型とすることによる効果は大きい。
【００３５】
さらに、この実施の形態において、ダーティゾーン用熱交換換気ユニット７は、ダーティゾーン２−１，２−２の換気を同時に行っており、２つのダーティーゾーン２−１，２−２のそれぞれには排気ファンは設けられていない。この例では、ダーティゾーンを２つとしているが、実際にはさらに多くのダーティゾーンが存在する。本実施の形態では、これら複数のダーティゾーンに対して１つのダーティゾーン用熱交換換気ユニット７を設けるのみでよいので、ダーティゾーン毎に排気ファンを設ける必要はない。その結果、部品コスト、設置コストおよび駆動コストを大幅に低減することが可能となる。勿論、ダーティゾーンが１つしかないシステムでも、同様に構成できることは言うまでもない。
【００３６】
また、この実施の形態では、空気清浄機１０を設けてクリーンゾーン１からの還気ＲＡｃを清浄するようにしている。これにより、クリーンゾーン用熱交換換気ユニット８への還気ＲＡ２や空調機９への送気ＳＡ３から臭気や粉塵などが除去され、熱交換ユニットの汚れ低減に伴う安定した熱交換性能やクリーンゾーン１における快適性が向上する。
【００３７】
〔実施の形態２〕
ダーティゾーン２−１，２−２に比べてクリーンゾーン１は空気質がよく、クリーンゾーン１からの還気ＲＡｃにそれほど問題となる臭いは含まれない。これに対して、ダーティゾーン２−１，２−２は空気質が悪く、ダーティゾーン２−１，２−２からの還気ＲＡａ，ＲＡｂには問題となる臭いが含まれる場合が多い。
【００３８】
そこで、実施の形態２では、図２に示すように、ダーティゾーン用熱交換換気ユニット７の熱交換器７−１を顕熱型とし、クリーンゾーン用熱交換換気ユニット８の熱交換器８−１を全熱型としている。全熱型の熱交換器８−１は、吸湿性または透湿性のある部材を介して、顕熱と潜熱の両方を熱交換する。
【００３９】
この場合、ダーティゾーン用熱交換換気ユニット７の顕熱型の熱交換器７−１において還気ＲＡ１から送気ＳＡ１への水蒸気、臭い等の移動はないが、クリーンゾーン用熱交換換気ユニット８の全熱型の熱交換器８−１においては、還気ＲＡ２から送気ＳＡ２への水蒸気のリークが発生する。しかし、クリーンゾーン１からの還気ＲＡｃにはそれほど問題となる臭いは含まれておらず、しかも空気清浄機１０によってクリーンゾーン１からの還気ＲＡｃが清浄されて還気ＲＡ２とされるので、還気ＲＡ２から送気ＳＡ２への多少の水蒸気のリークは問題とならない。
【００４０】
逆に、熱交換器８−１を全熱型とすることによって、熱交換の効率を高めることができるし、冬季などにおいては、還気ＲＡ２から空調機９への送気ＳＡ２へ水蒸気を渡すことによって、換気に伴う室内乾燥を緩和することができるようになる。なお、全熱型の熱交換器８−１を使用したことによって、還気ＲＡ２から送気ＳＡ２への水蒸気のリークにより実効的な換気量が必要換気量に対して不足する場合は、その不足分は、換気風量の増量にて賄う。
【００４１】
なお、上述した実施の形態１や２において、空気清浄機１０は必ずしも設けなくてもよく、空調機９への送気ＳＡ３を省略するようにしてもよい。
【００４２】
【発明の効果】
以上説明したことから明らかなように本発明によれば、第１のエリアとこの第１のエリアより空気質の劣る第２のエリアに対してそれぞれ第１と第２の熱交換換気ユニットを設け、第１と第２の熱交換換気ユニットにおいて第１と第２のエリアそれぞれからの還気と外気との熱交換を行い、第１の熱交換換気ユニットにおいて熱交換された外気と第２の熱交換換気ユニットにおいて熱交換された外気とを空調機へ送り、これら外気から調和空気を生成し、第１のエリアに供給するようにしたことにより、還気に含まれる再利用可能な熱量を外気へ移して空調機へ送ることができ、これにより、熱損失を低減し、空調効率をアップさせ、省エネルギーを図ることができる。
【００４３】
また、各熱交換換気ユニットの熱交換器をともに顕熱型とし、顕熱のみの熱交換を行わせることにより、還気に含まれる臭い等が水蒸気とともに空調機への送気に戻されることを防ぎ、第１のエリアの空気質の悪化を防止することができる。
【００４４】
また、第１の熱交換換気ユニットの熱交換器を全熱型とし、いわゆる「クリーンゾーン」用熱交換換気ユニットでは顕熱および潜熱の両方の熱交換を行わせることにより、熱交換の効率を高めることができるようになる。また、冬季などにおいては、還気から空調機への送気へ水蒸気を渡し、換気に伴う室内乾燥を緩和することができるようになる。
【００４５】
また、空気清浄機によって第１のエリアからの還気を清浄し、この清浄した還気の一部をクリーンゾーン用熱交換換気ユニットへの還気とし、残りを空調機への送気とすることにより、少なくとも空調機へ送られる送気に含まれる臭気や粉塵などを除去し、クリーンゾーン内の快適性を向上させることができるようになる。
【００４６】
また、複数の第２のエリアからの還気を合流し、第２の熱交換換気ユニットへ与え、熱交換と排気を行うようにすることにより、例えば、いわゆる「ダーティゾーン」に属する第２のエリアが複数ある場合でも、ダーティゾーン毎、すなわち第２のエリア毎に排気ファンを設ける必要がないので、部品コスト、設置コストおよび駆動コストを低減することが可能となる。また、複数の第２のエリアに対して第２の熱交換換気ユニットを１つ設けるだけで、給気・排気ともに機械換気によって行う第１種の機械換気システムを低コストで提供することが可能となる。
【図面の簡単な説明】
【図１】本発明の一実施の形態（実施の形態１）を示す排気セントラル換気方式による建物換気システムのシステム構成図である。
【図２】本発明の他の実施の形態（実施の形態２）を示す排気セントラル換気方式による建物換気システムのシステム構成図である。
【符号の説明】
１…クリーンゾーン、２（２−１，２−２）…ダーティゾーン、３，４…外気取入口、５，６…排気口、７…ダーティゾーン用熱交換換気ユニット、７−１…熱交換器、７−２…排気ファン、８…クリーンゾーン用熱交換換気ユニット、８−１…熱交換器、８−２…排気ファン、９…空調機、９−１…ファン、１０…空気清浄機、１１…換気チャンバ、１２…逆止シャッタ、１３…吹出口、１４…窓、Ｄ１〜Ｄ１２…ダクト、１００…建物。
【図１】
2004340434.tif 000003
【図２】
2004340434.tif 000004